(57)【要約】【課題】各ユーザが車両を使用する都度、自動的に所望の車内環境に調整することができる車両共有化システムを提供する。【解決手段】車両共有化システムの車内環境変更装置において、車載ＬＡＮに直接的又は間接的に接続される車内環境自動変更装置を備え、車内環境自動変更装置は車載ＬＡＮと接続する車載ＬＡＮインターフェイスと、ユーザの複数の携帯電話と接続する無線通信インターフェイスと、車内環境情報を記憶する記憶装置と、表示装置と、車載ＬＡＮを介して車載機器の作動を制御する制御装置を有し、車内環境自動変更装置と無線通信でペアリングしている携帯電話の所有ユーザの設定する車内環境情報を記憶装置から出力し、これに基づいて自動的に車両の車内環境を変更する【選択図】図１
2014151892.tif 000002
【特許請求の範囲】
【請求項１】
携帯電話を所有する複数のユーザによって共有される車両内に設けられるとともに、前記車両の車載ＬＡＮに接続された車載機器によって車内環境を各ユーザ毎に調整する車両共有化システムの車内環境変更装置において、
前記車載ＬＡＮに直接的に又は前記車載機器を介して間接的に接続される車内環境自動変更装置を備え、該車内環境自動変更装置は前記車載ＬＡＮと接続する車載ＬＡＮインターフェイスと、前記ユーザの所有する複数の前記携帯電話と接続する無線通信インターフェイスと、前記ユーザの設定する車内環境情報を記憶する記憶装置と、表示装置と、前記車載ＬＡＮを介して前記車載機器の作動を制御する制御装置を有し、前記車内環境自動変更装置と無線通信でペアリングしている携帯電話の所有ユーザの設定する車内環境情報を前記記憶装置から出力し、前記車両の車内環境を変更することを特徴とする車両共有化システムの車内環境変更装置。
【請求項２】
請求項１に記載された車両共有化システムの車内環境変更装置において、前記車載ＬＡＮに接続された車載機器は、自動調整シート、カーオーディオ装置、エアコン装置、カーナビ装置、サポート機器の少なくとも一つを含むことを特徴とする車両共有化システムの車内環境変更装置。
【請求項３】
請求項２に記載された車両共有化システムの車内環境変更装置において、前記車内環境情報は、シート位置情報、エアコン情報、オーディオ情報、ナビ情報、サポート機器情報の少なくとも一つを含むことを特徴とする車両共有化システムの車内環境変更装置。
【請求項４】
請求項１乃至３のいずれかに記載された車両共有化システムの車内環境変更装置において、前記表示装置は、現時点でペアリングが成立している各ユーザの携帯電話を表示することを特徴とする車両共有化システムの車内環境変更装置。
【請求項５】
請求項１乃至３のいずれかに記載された車両共有化システムの車内環境変更装置において、前記表示装置は、現時点で設定されている車内環境情報を表示することを特徴とする車両共有化システムの車内環境変更装置。
【請求項６】
請求項１乃至３のいずれかに記載された車両共有化システムの車内環境変更装置において、前記無線通信方式としてＢｌｕｅｔｏｏｔｈ（登録商標）方式を採用したことを特徴とする車両共有化システムの車内環境変更装置。
【請求項７】
請求項１乃至３のいずれかに記載された車両共有化システムの車内環境変更装置において、前記無線通信方式としてＷｉ−Ｆｉ方式を採用したことを特徴とする車両共有化システムの車内環境変更装置。
【請求項８】
携帯電話を所有する複数のユーザによって共有される車両内に設けられるとともに、前記車両の車載ＬＡＮに接続された車載機器と、前記車載ＬＡＮに直接的または間接的に接続される車内環境自動変更装置を備え、該車内環境自動変更装置によって車内環境を各ユーザ毎に調整する車両共有化システムの車内環境変更方法において、
ユーザが車両の使用を終了したことを確認するステップと、
ユーザが車両の使用を終了したとき、前記車両の前記車内環境自動変更装置とペアリングしている前記複数のユーザのいずれかが所有する携帯電話の有無を確認するステップと、
前記複数のユーザのいずれかが所有する携帯電話がある場合に、前記車内環境自動変更装置が、各ユーザが設定した車内環境をその時ペアリングしている携帯電話の情報と紐づけするステップと、
ユーザが車両使用を開始したことを確認するステップと、
前記車内環境自動変更装置が携帯電話のペアリングを完了したことを確認するステップとを備え、
前記車内環境自動変更装置の記憶装置からペアリングによって特定された携帯電話に紐付けされた車内環境情報を呼び出し、車内環境を自動的に調整することを特徴とする車両共有化システムの車内環境変更方法。
【請求項９】
請求項８に記載された車両共有化システムの車内環境変更方法において、前記車両使用の開始／終了を、前記車両のキーの着脱動作により確認することを特徴とする車両共有化システムの車内環境変更方法。
【請求項１０】
請求項８に記載された車両共有化システムの車内環境変更方法において、前記車両使用の開始／終了を、前記車両のドア開閉動作により確認することを特徴とする車両共有化システムの車内環境変更方法。
【発明の詳細な説明】
【技術分野】
【０００１】
本発明は、少なくとも１台の車両を多数のユーザで使用可能とする車両共有化システムにおける車内環境変更装置及びこれを用いた車内環境変更方法に関する。
【背景技術】
【０００２】
近年、マンションや都市の一定地域で、車両を利用するための購入費、燃料費、駐車場代等の個人的コスト、ＣＯ２排出等の社会的コストを低減するために車両を多数のユーザで共同利用する車両共有化システム（カーシェアリングシステム）が実用化され始めている。車両共有化システムでは、多数のユーザが同一の車両を使用するため、各ユーザは車両を使用する都度、各々の所望する車内環境に調整している。
【０００３】
従来、車両共有化システムの背景技術において、特許文献１には１台の車両を多数のユーザで使用可能とする車両共有化システムであって、各ユーザが設定した車内環境を、各ユーザに対応付けて記憶する車内環境情報記憶手段と、ユーザから車両の使用予約を受けて予約スケジュールを生成する予約スケジュール生成手段と、予約スケジュールに基づいて、車両を予約したユーザに対応した車内環境情報を車内環境情報記憶手段から読み出し、読み出した車内環境情報に基づいて、予約ユーザが設定した状態へ車内環境を変化させる車内環境調整手段とを備える車両共有化システムが開示されている。
【先行技術文献】
【特許文献】
【０００４】
【特許文献１】特開２００９−６１９７８号公報
【発明の概要】
【発明が解決しようとする課題】
【０００５】
しかしながら、車両共有化システムでは多数のユーザが同一の車両を使用する関係上、各ユーザは、車両を使用する都度、自己の好み等に適合した電動シート位置、エアコン設定、オーディオ設定、カーナビ設定等の車内環境を所望の車内環境に調整する必要があり、専用の車両を所有する場合に比べて使い勝手が悪いという問題があった。
【０００６】
特許文献１の車両共有化システムでは、予め各ユーザの予約スケジュールを生成しこれに基づいて各ユーザデータを読み出している。従って、予約スケジュールの変更等による車両使用の際に社内環境設定、変更を自動的に行うことができず、フレキシブルな利用ができない。
【０００７】
そこで、本発明は車両共有化システムにおいて、各ユーザが車両を使用する都度、所望の車内環境に改めて調整する必要がなく、予め登録した各ユーザの車内環境情報に基づいて自動的に車内環境を変更することができる車内環境変更装置及びこれを用いた車内環境変更方法を提供することを目的とする。
【課題を解決するための手段】
【０００８】
本発明は、携帯電話を所有する複数のユーザによって共有される車両内に設けられるとともに、車両の車載ＬＡＮに接続された車載機器によって車内環境を各ユーザ毎に調整する車両共有化システムの車内環境変更装置において、車載ＬＡＮに直接的または前記車載機器を介して間接的に接続される車内環境自動変更装置を備え、車内環境自動変更装置は車載ＬＡＮと接続する車載ＬＡＮインターフェイスと、ユーザの所有する複数の携帯電話と接続する無線通信インターフェイスと、ユーザの設定する車内環境情報を記憶する記憶装置と、表示装置と、車載ＬＡＮを介して車載機器の作動を制御する制御装置を有し、車内環境自動変更装置と無線通信でペアリングしている携帯電話の所有ユーザの設定する車内環境情報を記憶装置から出力し、車両の車内環境を変更することを特徴とする。
【発明の効果】
【０００９】
本発明によれば、携帯電話を所有する複数のユーザによって共有される車両内に設けられるとともに、車両の車載ＬＡＮに接続された車載機器によって車内環境を各ユーザ毎に調整する車両共有化システムの車内環境変更装置において、車載ＬＡＮに直接的または前記車載機器を介して間接的に接続される車内環境自動変更装置を備え、車内環境自動変更装置は車載ＬＡＮと接続する車載ＬＡＮインターフェイスと、ユーザの所有する複数の携帯電話と接続する無線通信インターフェイスと、ユーザの設定する車内環境情報を記憶する記憶装置と、表示装置と、車載ＬＡＮを介して車載機器の作動を制御する制御装置を有し、車内環境自動変更装置と無線通信でペアリングしている携帯電話の所有ユーザの設定する車内環境情報を記憶装置から出力し、車両の車内環境を変更することにより、各ユーザが車両を使用する都度、自動的に所望の車内環境に調整することが可能になるため、ユーザの使い勝手を大幅に改良することができる。
【図面の簡単な説明】
【００１０】
【図１】本発明の実施例１における車両環境情報装置の全体構成を示す模式図である。
【図２】本発明の実施例１における車内環境変更方法（記憶）を示すフロー図である。
【図３】本発明の実施例１における車内環境変更方法（設定）を示すフロー図である。
【図４】本発明の実施例１におけるペアリングされた複数の携帯電話の選択方法を示す模式図である。
【図５】本発明の実施例２における車両環境情報装置の全体構成を示す模式図である。
【発明を実施するための形態】
【００１１】
以下に本発明を実施例および図面を用いて説明する。
【実施例１】
【００１２】
図１は、本発明の実施例１の車両共有化システムにおいて、車両環境変更装置の全体構成を示す模式図である。図１において、図示しない車両に搭載された車載ＬＡＮ１に、カーナビ機能を有するカーオーディオ装置２、シート高さやバックシート傾斜角度等のポジション自動調整装置を備えた自動調整シートである電動シート３、エアコン４が接続されている。これら車載装置はそれぞれ専用の制御装置とアクチュエータを有し、外部信号により作動されて指示された所定動作を実行する。カーナビ機能は独立したカーナビ装置を車載ＬＡＮ１に接続しても良い。この他、身体障害者用の回転シート、車いす着脱装置等のサポート機器等を設ける場合もある。
【００１３】
カーオーディオ装置２は、内部に設けられた図示しない制御装置に、更に車内環境自動変更装置６を備えている。車内環境自動変更装置６は車載ＬＡＮインターフェイス７を介してマイコン９に接続されている。マイコン９はさらに、タッチパッド等の入力装置を兼用した表示装置５、Bluetooth（登録商標）インターフェイス８、記憶装置１０と接続され、専用のソフトウェアで車載ＬＡＮインターフェイス７を介して車載機器の情報を取入れ、車載機器の動作を制御して車内環境の制御を実行する。マイコン９はさらに、Bluetooth（登録商標）インターフェイス８を介して各ユーザの携帯電話Xの情報を取入れ、後述する社内環境情報との紐付けを行い、これら各情報を記憶装置１０に記憶し、表示装置５に表示する。
【００１４】
記憶装置１０には、車内環境情報として例えば以下の情報が記憶される。サポート機器等を設ける場合にはサポート機器情報が追加される。記憶装置１０はＲＡＭメモリ、ハードディスク等の読出し/書き込み可能な不揮発性メモリが使用される。
【００１５】
Ｚ１：シート位置情報
Ｚ２：エアコン設定情報
Ｚ３：オーディオ設定情報
Ｚ４：ナビ設定情報
Ｘ１〜Ｘ３は、車両共有化システムを利用する各ユーザが個別に所有する携帯電話であり、カーオーディオ装置２の車内環境自動変更装置６と近距離無線通信方式であるBluetooth（登録商標）認証によるペアリングを行うことによって、車内環境自動変更装置６に設けたマイコン９に認識され、これと接続される。
【００１６】
図２は、本発明の実施例１における車内環境変更方法において、各ユーザ毎の車内環境情報を車内環境自動変更装置６に記憶する方法を示すフロー図である。ステップＳ１０で、カーオーディオ装置２が車両使用の終了を確認するため図示しないキーが車両から抜きとられた事を認識し、Ｓ２０で、この時点でペアリングしている携帯電話があるか確認する。
【００１７】
次に、Ｓ３０で、ペアリングしている携帯電話がある場合には、車載ＬＡＮ１を介して、車両環境情報を車内環境自動変更装置６２内の記憶装置１０に記憶する。その際、現在ペアリングしている特定の携帯電話Ｘのペアリング情報と紐付けて車両環境情報の記憶を行う。ペアリングしている携帯電話が複数ある場合は、予め選択されている特定の携帯電話Ｘに対して紐付けを行う。このように、各ユーザの車両使用終了時に、各ユーザが使用した車両設定情報が記憶装置１０に記憶され蓄積される。車両使用の開始、終了は、例えば運転席ドアの開閉等によっても確認可能である。
【００１８】
図３は、本発明の実施例１における車内環境変更方法を示すフロー図である。図３は、車載機器に対する車内環境情報の設定方法を示す。
【００１９】
始めにＳ４０において、車両の使用が開始されたことを車両にキーが挿入されたことによるり確認する。次に、Ｓ５０で、車内環境自動変更装置６が携帯電話Ｘとペアリングが成立したことを確認する。次に、Ｓ６０で、ペアリングが成立した時点でペアリングした携帯電話に紐づけられた車両環境情報が記憶装置１０にあることを確認する。ペアリングした携帯電話に紐づけられた車両環境情報がある場合は、Ｓ７０で、車載ＬＡＮ１を介して関連する車載装置に対して車両環境の設定を行う。
【００２０】
これにより、ユーザが特に意識的に設定を行うことなく、ユーザの使用毎に自動的に車両環境を設定することが可能になる。紐づけられた車両環境情報が記憶装置１０にない場合は、車両に予め設定されている既存（デフォルト）の車両環境情報で車両環境の設定を行う。
【００２１】
図４は、本発明の実施例１におけるペアリングされた携帯電話が複数存在する場合の選択方法を示す模式図である。カーオーディオ装置２の表示装置５に示されたメニュー画面にて、現在ペアリングしている携帯電話の一覧を表示し、ユーザがどの携帯電話に車両環境情報を紐づけるか選択を可能とする。例えば、車両共有システムの複数のユーザが車両に乗車したときに、選択できる車両環境情報はただ１つである。また、選択された携帯電話がない場合は、車両環境情報の記憶は行われないものとする。
【実施例２】
【００２２】
実施例２は本発明の車両共有化システムにおける他の車両環境情報装置および車内環境変更方法を示す。図５は、本発明の実施例２における車両環境情報装置の全体構成を示す模式図である。図２において、エアコン４は、図示しない制御装置内に、更に車内環境自動変更装置１６を備えている。車内環境自動変更装置１６は車載ＬＡＮインターフェイス１７を介してマイコン１９に接続されている。マイコン１９はさらに、タッチパッド等の入力装置を兼用した表示装置１５、Bluetooth（登録商標）インターフェイス１８、記憶装置２０と接続され、専用のソフトウェアで車内環境の制御を実行する。
【００２３】
実施例２のように、車載ＬＡＮに接続された各種の車載装置内に、車内環境自動変更装置を搭載することができる。あるいは、車内環境自動変更装置を車載機器から独立させて直接に車載ＬＡＮに接続する事もできる。
【００２４】
実施例１、実施例２では、携帯電話はBluetooth（登録商標）通信方式によって車内環境自動変更装置とペアリングを行っている。これに代えて、Wi-Fi通信を用いても同様に本発明を実施することができる。このように携帯電話と車内環境自動変更装置との通信方式は、任意の近距離用通信方式を利用することができる。
【符号の説明】
【００２５】
１：車載ＬＡＮ
２：カーオーディオ装置
３：電動シート
４：エアコン
６：車内環境自動変更装置
７、１７：車載ＬＡＮインターフェイス
９、１９：マイコン
５、１５：表示装置
８、１８：Bluetooth（登録商標）インターフェイス
１０、２０：記憶装置
Ｘ１〜Ｘ３：携帯電話
【図１】
2014151892.tif 000003
【図２】
2014151892.tif 000004
【図３】
2014151892.tif 000005
【図４】
2014151892.tif 000006
【図５】
2014151892.tif 000007